(57)【要約】      （修正有）【課題】取付筒部からの回動部の抜けを防止することができるとともに、作業性の向上や製造コストの低減を図ることができる排水栓装置を提供する。【解決手段】排水栓装置１は、取付筒部３２に挿通される回動部と、回動部の回動に伴い上下動することで栓蓋５２を上下動させる支持突起とを備える。排水栓装置１は、回動部の外周に設けられた歯車部４１１ｃに噛合されるラック部４４を有し、ラック部４４は、回動部が係止され、取付筒部３２からの回動部の抜けを防止する抜止部を具備する。ラック部４４に設けられた抜止部によって回動部の抜けを防止できるため、抜け止めのために外嵌部材などの別部材を特段設ける必要がなくなり、装置の組立やメンテナンス等に関する作業性の向上や製造コストの低減を図ることができる。【選択図】図５
2020193515.tif 000002
【特許請求の範囲】
【請求項１】
槽体の排水口を開閉するための上下動可能な栓蓋と、
前記排水口を通過した排水の流れる筒状の流路構成部、及び、自身の内部空間が当該流路構成部の内部空間と連通した状態で設けられた筒状の取付筒部を有してなる配管と、
前記取付筒部に挿通される回動可能な回動部と、
当該回動部から突出して前記流路構成部内に配置され、前記栓蓋を直接又は間接的に支持する支持突起とを備え、
前記回動部の回動に伴い前記支持突起が回動しつつ上下動することで、前記栓蓋が上下動するように構成された排水栓装置であって、
前記回動部の外周に設けられた歯車部に噛合され、自身の長手方向に沿って往復移動可能なラック部を有し、
当該ラック部は、前記回動部が係止され、前記取付筒部から前記流路構成部側への前記回動部の抜けを防止する抜止部を具備することを特徴とする排水栓装置。
【請求項２】
前記回動部は、周方向に沿って延びる溝部を有し、
前記抜止部は、前記ラック部の移動方向に沿って延びる突条をなし、前記溝部に配置されることで前記回動部が係止された状態となるように構成されていることを特徴とする請求項１に記載の排水栓装置。
【請求項３】
前記抜止部は、前記歯車部に噛合されるとともに、前記回動部の回動軸方向に沿って前記歯車部と接触可能な前記ラック部の歯によって構成されていることを特徴とする請求項１に記載の排水栓装置。
【請求項４】
前記ラック部が収容される筒状のラック収容部、及び、前記回動部における前記歯車部が収容される歯車収容部を有し、前記取付筒部に取付けられる又は前記取付筒部と一体に形成されるギアボックス部を備え、
前記ギアボックス部は、単一の部品からなることを特徴とする請求項１乃至３のいずれか１項に記載の排水栓装置。
【請求項５】
前記ラック収容部は、端部に開口を有する筒状をなしており、
前記ラック部は、前記開口から前記ラック収容部へと挿通可能であり、
前記歯車収容部に前記回動部における前記歯車部を収容した状態で、前記開口から前記ラック収容部へと前記ラック部を挿通することにより、前記抜止部に対し前記回動部を係止した状態とすることが可能に構成されていることを特徴とする請求項４に記載の排水栓装置。
【発明の詳細な説明】
【技術分野】
【０００１】
本発明は、槽体の排水口に設けられる排水栓装置に関する。
【背景技術】
【０００２】
排水栓装置は、槽体（例えば、浴槽や洗面ボウルなど）の排水口に対応して設けられた栓蓋を備えており、栓蓋を上下動させることで、排水口を開閉させるものである。
【０００３】
排水栓装置としては、上下方向に延びるとともに排水口を通過した排水の流れる直筒状の流路構成部を有してなる配管、前記流路構成部内に配置され前記栓蓋を支持するとともに上下動可能な支持軸、及び、所定の操作部（例えば操作ボタン）の変位による駆動力を前記支持軸に伝達する伝達部材（例えばワイヤ等）などを備え、前記操作部に対する操作により前記支持軸及び前記栓蓋を上下動させることで、排水口の開閉状態を切換えるものが一般に知られている。
【０００４】
また近年では、前記流路構成部から枝分かれする取付筒部を具備するように前記配管を構成するとともに、前記栓蓋を間接的に支持する支持突起が先端面に形成されてなる回動部を前記取付筒部に挿通設置し、前記回動部の回動に伴い前記支持突起が上下動することで、前記栓蓋を上下動させるように構成された排水栓装置が提案されている（例えば、特許文献１等参照）。この特許文献に記載の排水栓装置では、伝達部材の接続されたラック部と、当該ラック部に噛合されるとともに回動部に固定された歯車（ピニオン）とが設けられており、伝達部材の移動に伴いラック部が移動して前記歯車が回動することで、支持突起が回動しつつ上下動するようになっている。
【先行技術文献】
【特許文献】
【０００５】
【特許文献１】特開２０１８−３３４７号公報
【発明の概要】
【発明が解決しようとする課題】
【０００６】
ところで、上記特許文献に記載の排水栓装置では、回動部の外周に嵌め込まれた外嵌部材（例えばＣリングなど）によって、取付筒部から流路構成部側への回動部の抜けを防止するように構成されている。しかしながら、この構成では、部品点数の増加や装置の複雑化を生じさせてしまい、装置の組立やメンテナンス等に関する作業性の低下や製造コストの増大を招いてしまうおそれがある。
【０００７】
本発明は、上記事情に鑑みてなされたものであり、その目的は、取付筒部から流路構成部側への回動部の抜けを防止することができるとともに、作業性の向上や製造コストの低減を図ることができる排水栓装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．槽体の排水口を開閉するための上下動可能な栓蓋と、
前記排水口を通過した排水の流れる筒状の流路構成部、及び、自身の内部空間が当該流路構成部の内部空間と連通した状態で設けられた筒状の取付筒部を有してなる配管と、
前記取付筒部に挿通される回動可能な回動部と、
当該回動部から突出して前記流路構成部内に配置され、前記栓蓋を直接又は間接的に支持する支持突起とを備え、
前記回動部の回動に伴い前記支持突起が回動しつつ上下動することで、前記栓蓋が上下動するように構成された排水栓装置であって、
前記回動部の外周に設けられた歯車部に噛合され、自身の長手方向に沿って往復移動可能なラック部を有し、
当該ラック部は、前記回動部が係止され、前記取付筒部から前記流路構成部側への前記回動部の抜けを防止する抜止部を具備することを特徴とする排水栓装置。
【００１０】
上記手段１によれば、ラック部の移動により回動部や支持突起が回動するように構成されるところ、当該ラック部に設けられた抜止部によって、取付筒部から流路構成部側への回動部の抜けを防止することができる。従って、抜け止めのために外嵌部材（例えばＣリング）などの別部材を特段設ける必要がなくなる。そのため、部品点数の削減や装置の簡素化を図ることができ、その結果、装置の組立やメンテナンス等に関する作業性の向上や製造コストの低減を図ることができる。
【００１１】
尚、抜止部は、例えば、次述する手段２や手段３の構成等により実現可能である。
【００１２】
手段２．前記回動部は、周方向に沿って延びる溝部を有し、
前記抜止部は、前記ラック部の移動方向に沿って延びる突条をなし、前記溝部に配置されることで前記回動部が係止された状態となるように構成されていることを特徴とする手段１に記載の排水栓装置。
【００１３】
上記手段２によれば、抜止部を比較的簡易な構造により実現することができ、作業性の向上や製造コストの低減をより効果的に図ることができる。
【００１４】
手段３．前記抜止部は、前記歯車部に噛合されるとともに、前記回動部の回動軸方向に沿って前記歯車部と接触可能な前記ラック部の歯によって構成されていることを特徴とする手段１に記載の排水栓装置。
【００１５】
上記手段３によれば、抜止部は、歯車部に噛合されるラック部の歯によって構成される。そのため、抜け止めのための特別な部分をラック部に設けずに済み、製造コストの低減などを一層効果的に図ることができる。
【００１６】
尚、上記手段３の抜止部は、例えば、回動方向に沿って歯がずれた状態とされた二段歯車からなる回動部の歯車部や、ダブルヘリカルギアからなる回動部の歯車部に噛合されるように構成されたラック部の歯によって構成することができる。
【００１７】
手段４．前記ラック部が収容される筒状のラック収容部、及び、前記回動部における前記歯車部が収容される歯車収容部を有し、前記取付筒部に取付けられる又は前記取付筒部と一体に形成されるギアボックス部を備え、
前記ギアボックス部は、単一の部品からなることを特徴とする手段１乃至３のいずれかに記載の排水栓装置。
【００１８】
上記手段４によれば、ラック部の収容されるラック収容部及び回動部の歯車部が収容される歯車収容部を有してなるギアボックス部が、単一の部品から構成されている。つまり、ギアボックス部は、複数の部品を組合わせてなるものではなく、１の部品によって構成されている。従って、部品点数をより削減することができ、作業性の向上や製造コストの低減を一層効果的に図ることができる。
【００１９】
尚、ギアボックス部と取付筒部とが一体に形成される場合、ギアボックス部及び取付筒部が一体的に単一の部品によって構成されることとなる。
【００２０】
手段５．前記ラック収容部は、端部に開口を有する筒状をなしており、
前記ラック部は、前記開口から前記ラック収容部へと挿通可能であり、
前記歯車収容部に前記回動部における前記歯車部を収容した状態で、前記開口から前記ラック収容部へと前記ラック部を挿通することにより、前記抜止部に対し前記回動部を係止した状態とすることが可能に構成されていることを特徴とする手段４に記載の排水栓装置。
【００２１】
上記手段５によれば、歯車収容部に歯車部を収容した状態で、ラック収容部の開口から当該ラック収容部へとラック部を挿通することにより、抜止部に対し回動部を係止した（引っ掛けた）状態とすることができる。従って、回動部の抜け止めのための部品を取付けたり、配置したりするといった作業を特段行うことなく、単にラック収容部へとラック部を挿通することで、抜止部により回動部の抜けを防止可能な状態とすることができる。これにより、作業性の向上や製造コストの低減をより一層効果的に図ることができる。
【図面の簡単な説明】
【００２２】
【図１】排水栓装置の断面図である。
【図２】排水栓装置の斜視図である。
【図３】排水栓装置の側面図である。
【図４】排水栓装置の拡大断面図である。
【図５】ギアボックス部を取外した状態における排水栓装置の斜視図である。
【図６】栓蓋駆動機構の拡大断面図である。
【図７】ラック部の斜視図である。
【図８】図１のＪ−Ｊ線断面図である。
【図９】別の実施形態における回動部及びラック部の分解斜視図である。
【図１０】別の実施形態におけるラック部の斜視図である。
【図１１】別の実施形態における回動部及びラック部の分解斜視図である。
【図１２】別の実施形態におけるラック部の斜視図である。
【発明を実施するための形態】
【００２３】
以下に、一実施形態について図面を参照しつつ説明する。図１〜３に示すように、排水栓装置１は、槽体としての洗面ボウル１００に取付けられており、排水口部材２と、配管３と、栓蓋駆動機構４と、栓蓋ユニット５とを備えている。尚、図２等では、洗面ボウル１００の図示を省略している。
【００２４】
洗面ボウル１００は、その底面を構成する底壁部１０１を備えており、当該底壁部１０１には、排水口１０２が貫通形成されている。また、洗面ボウル１００には、水の溢れ出しを防止するためのオーバーフロー口（図示せず）が設けられており、底壁部１０１の内部には、当該オーバーフロー口を通って流出した排水の流れ込む排水空間１０３が形成されている。
【００２５】
排水口部材２は、円筒状に形成されており、自身の中心軸と排水口１０２の中心軸とがほぼ一致した状態で排水口１０２に挿設されている。排水口部材２は、図４に示すように、その上端部において径方向外側に突出形成された鍔部２１と、当該鍔部２１よりも下方の外周に形成された雄ねじ部２２とを備えている。また、排水口部材２における鍔部２１及び雄ねじ部２２間の部位には、周方向に沿って間隔をあけた状態で複数の通水孔２３が貫通形成されている。
【００２６】
そして、排水口部材２を排水口１０２に挿通しつつ当該排水口部材２の鍔部２１を底壁部１０１上に配置した状態で、内周に雌ねじを有する環状の第一ナット部材９ａを前記雄ねじ部２２に対し螺着し、鍔部２１及び第一ナット部材９ａにより洗面ボウル１００を挟み込んだ状態とすることで、排水口部材２が洗面ボウル１００に取付けられている。
【００２７】
また、洗面ボウル１００と排水口部材２（鍔部２１）との間、及び、洗面ボウル１００と第一ナット部材９ａとの間には、それぞれ弾性変形可能な材料（例えば、樹脂やゴム等）により形成された環状のシール部材７，８が介在されている。これらシール部材７，８により、排水口部材２及び洗面ボウル１００間からの漏水防止が図られている。また、第一ナット部材９ａ及びシール部材８間には、滑りリングとして機能する薄肉環状のワッシャ部品６が配置されている。尚、洗面ボウル１００に排水口部材２を取付けた状態において、シール部材７，８は圧縮変形した状態となるが、図１等では、圧縮変形していない状態のシール部材７，８を示している。
【００２８】
さらに、洗面ボウル１００に排水口部材２を取付けた状態では、通水孔２３が排水空間１０３に向けて開口した状態となる。これにより、前記オーバーフロー口を通過した排水は、排水空間１０３及び通水孔２３を通って排水口部材２の内部空間すなわち排水の流路へと流れ込むようになっている。
【００２９】
配管３は、配管本体部３１及び取付筒部３２を備えている。配管本体部３１は、鉛直方向に沿って延びる、金属や樹脂等からなる円筒状部品であり、排水口１０２を通って流れる排水の流路を構成する部位である。本実施形態では、配管本体部３１が流路構成部に相当する。
【００３０】
また、配管本体部３１は、その上端部に外側に向けて略直角に屈曲された折返部３１ａを備えている。そして、排水口部材２と、弾性変形可能な材料により形成された環状の内側シール部材１０と、配管本体部３１とを直列的に並べた状態で、内周に雌ねじを有する第二ナット部材９ｂを前記雄ねじ部２２に螺合し、第二ナット部材９ｂの端部内周に設けられた内鍔と排水口部材２の下端部との間で折返部３１ａ及び内側シール部材１０を挟み込んだ状態とすることにより、排水口部材２に対し配管本体部３１が水密な状態で直列的に接続された状態となっている。
【００３１】
また、配管本体部３１には、円形状の貫通孔３１ｂが設けられている。貫通孔３１ｂは、栓蓋駆動機構４の後述する支持突起４１２を配管３内（すなわち排水の流路）に設置するために設けられている。
【００３２】
取付筒部３２は、配管本体部３１の外周に固定された、全体として円筒状をなす部位であり、栓蓋駆動機構４の取付対象として機能する。本実施形態において、取付筒部３２は、配管３の外周面に沿う湾曲板状をなす一対のバンド部３３と一体に形成されており、各バンド部３３における取付筒部３２とは反対側の端部には、組合わされることで外周に雄ねじを形成することとなる半割れ円筒状の半円筒状ねじ部３３ａが設けられている（図８参照）。そして、バンド部３３を配管本体部３１に巻き付けた状態とした上で、前記半円筒状ねじ部３３ａに対し内周に雌ねじを有する袋ナット部３４を螺合することで、配管本体部３１に取付筒部３２が取付けられた状態となっている。
【００３３】
尚、本実施形態において、取付筒部３２における配管本体部３１側に設置される部位には、前記貫通孔３１ｂの内径とほぼ同一（当該内径よりもやや小さい程度）の外径を有する円筒状の位置合わせ用筒部３２ａが設けられている。配管本体部３１に対し取付筒部３２を取付ける際には、位置合わせ用筒部３２ａを貫通孔３１ｂへと挿通することで、配管本体部３１に対する取付筒部３２の位置合わせを行うことができるようになっている。
【００３４】
また、配管本体部３１の外周面と取付筒部３２との間には、弾性変形可能な材料により形成された環状の取付筒用シール部材１１が介在されている。この取付筒用シール部材１１によって、配管本体部３１及び取付筒部３２間を通った漏水の防止が図られている。
【００３５】
さらに、取付筒部３２における配管本体部３１とは反対側に位置する端部には、外側に突出する鍔状部分が設けられており、当該鍔状部分には、栓蓋駆動機構４を取付けるための被係止用孔部３２ｂが貫通形成されている（図５参照）。被係止用孔部３２ｂは、取付筒部３２の周方向に沿って延びる湾曲形状をなしており、当該周方向に沿って間隔をあけて複数（本実施形態では、３つ）設けられている。
【００３６】
栓蓋駆動機構４は、栓蓋ユニット５を上下動させるための機構である。栓蓋駆動機構４は、回動可能な回動部４１１と、当該回動部４１１の回動に伴い上下動可能な支持突起４１２とを具備してなる回動体４１を備えている。栓蓋駆動機構４は、支持突起４１２が配管本体部３１内に配置された状態で、取付筒部３２に対し取付けられている。支持突起４１２は、比較的短いものとされており、その先端が配管本体部３１の中心軸に到達しないように構成されている。尚、栓蓋駆動機構４の詳細については後に説明する。
【００３７】
栓蓋ユニット５は、排水口１０２の開閉などを行うために、排水の流路に対応して設けられるものである。栓蓋ユニット５は、支持部材５１及び栓蓋５２を有している。
【００３８】
支持部材５１は、排水口部材２や配管本体部３１内において排水口部材２や配管本体部３１の内周面に沿って上下動可能な状態で配置されている。支持部材５１は、排水口部材２のほぼ中心に配置される支持軸５１ａと、当該支持軸５１ａから外側に突出する複数（本実施形態では４枚）の羽根部５１ｂと、支持軸５１ａの下部に連結された円環状の被支持部５１ｃとを備えている。
【００３９】
支持軸５１ａは、直棒状をなしており、その上端部が栓蓋５２の背面中央部分に設けられた円筒状部位に嵌合されている。これにより、支持軸５１ａの上端部に栓蓋５２が取付けられ、支持軸５１ａによって栓蓋５２が支持された状態となっている。
【００４０】
羽根部５１ｂは、支持軸５１ａの側面から外側に突出する板状をなしている。各羽根部５１ｂは、その外縁部が排水口部材２の内周面に近接した状態で配置されており、その結果、水平方向に沿った栓蓋ユニット５の位置ずれや、栓蓋ユニット５の傾きを抑制可能となっている。
【００４１】
被支持部５１ｃは、前記支持突起４１２によって支持される部位であり、外周面が配管本体部３１の内周面に近接した状態とされている。
【００４２】
栓蓋５２は、排水口１０２を開閉するためのものであり、支持部材５１を介して支持突起４１２により間接的に支持されている。栓蓋５２は、樹脂等からなる円板状の栓蓋本体部５２ａと、当該栓蓋本体部５２ａに取付けられたパッキン部５２ｂとを備えている。パッキン部５２ｂは、弾性変形可能な材料（例えば、ゴムや樹脂等）によって環状に形成されており、栓蓋本体部５２ａの背後の外周側に設けられた、外側に開口する凹部に嵌め込まれた状態とされている。
【００４３】
本実施形態では、回動部４１１が一方側へと回動し支持突起４１２が下動することで、支持部材５１及び栓蓋５２が下動する。そして、パッキン部５２ｂの外周部分全域が排水口部材２に接触することで、排水口１０２が閉状態とされる。一方、回動部４１１が他方側へと回動し支持突起４１２が上動することで、当該支持突起４１２によって前記被支持部５１ｃが持ち上げられ、ひいては支持部材５１及び栓蓋５２が上動する。その結果、パッキン部５２ｂが排水口部材２から離間することで、排水口１０２が開状態とされる（図１参照）。
【００４４】
尚、本実施形態では、排水口１０２が閉状態とされ、支持突起４１２が最も下方に配置されたときに、支持突起４１２から支持部材５１（被支持部５１ｃ）が浮いた状態となる。そのため、排水口１０２を閉状態としたときに、排水口部材２へとパッキン部５２ｂをより確実に接触させることができ、良好な水密性を得ることができる。
【００４５】
また、本実施形態では、洗面ボウル１００の表側（貯水空間側）から上方に向けて栓蓋５２を引上げることで、排水口部材２や配管本体部３１から栓蓋ユニット５を引抜可能である。そして、栓蓋ユニット５を引抜いた状態において、排水の流路では、配管本体部３１の内部に支持突起４１２のみが僅かに突出した状態となる。そのため、メンテナンス性や清掃性の向上を図ることが可能となっている。
【００４６】
次いで、栓蓋駆動機構４についてより詳細に説明する。栓蓋駆動機構４は、図６に示すように、上述した回動体４１に加え、外周配置部４２、ギアボックス部４３及びラック部４４を備えている。
【００４７】
回動体４１は、上述の通り、回動部４１１及び支持突起４１２を備えている。回動部４１１は、流路側円板部４１１ａ、中間部４１１ｂ及び歯車部４１１ｃを備えており、これらがこの順序で同軸状に並ぶ構成とされている。
【００４８】
流路側円板部４１１ａは、回動部４１１の一端部に設けられ、栓蓋駆動機構４を取付筒部３２へと取付けた状態において、配管本体部３１の内部空間側、すなわち、排水の流路側を向くようにして配置される部位である。流路側円板部４１１ａは、円板状をなしており、その最大外径が取付筒部３２の内径とほぼ同一とされている。
【００４９】
中間部４１１ｂは、流路側円板部４１１ａよりも小径の柱状をなしている。中間部４１１ｂにおける流路側円板部４１１ａ側に位置する基部の外周には、所定の弾性変形可能な材料（例えば、ゴムや樹脂等）により形成された環状の内側パッキン４５が嵌め込まれている。一方、中間部４１１ｂにおける前記内側パッキン４５よりも歯車部４１１ｃ側に位置する部位の外周には、複数の窪みが形成されている。この窪みを設けることで、中間部４１１ｂとこの外周に配置される外周配置部４２（特に後述する介在円筒部４２ａ）との間で生じる摩擦抵抗を軽減することができ、ひいては回動部４１１の円滑な回動を図ることが可能となっている。
【００５０】
歯車部４１１ｃは、ラック部４４との間で駆動力の伝達を行うための部位である。歯車部４１１ｃは、回動部４１１の他端部外周に設けられた複数の歯によって構成されている。本実施形態において、歯車部４１１ｃを構成する歯のそれぞれは、回動体４１の回動軸と平行に延びるものとされている。また、歯車部４１１ｃの外径は、中間部４１１ｂの外径とほぼ同一とされている。
【００５１】
さらに、回動部４１１は、中間部４１１ｂ及び歯車部４１１ｃ間における外周部に、回動部４１１の周方向に沿って延びる溝部４１１ｄを備えている。本実施形態において、溝部４１１ｄは、回動部４１１の周方向全周に亘って設けられている。
【００５２】
支持突起４１２は、回動部４１１の先端面（流路側円板部４１１ａの端面）における外周寄り部位から配管本体部３１内に突出し、支持部材５１を支持することで栓蓋５２を間接的に支持している。支持突起４１２は、回動部４１１の回動に伴い上下動する。
【００５３】
外周配置部４２は、中間部４１１ｂの外側に配置されるものであり、介在円筒部４２ａ及び外側パッキン４２ｂを備えている。
【００５４】
介在円筒部４２ａは、外周に環状の溝を備えた円筒状をなしており、中間部４１１ｂの外周において、流路側円板部４１１ａ及びラック部４４又はギアボックス部４３に挟まれた状態で設けられている。尚、栓蓋駆動機構４が単体の状態（取付筒部３２に取付けられていない状態）では、介在円筒部４２ａは、流路側円板部４１１ａとともに、ギアボックス部４３から外に出た状態となるように構成されている。
【００５５】
一方、介在円筒部４２ａは、栓蓋駆動機構４を取付筒部３２へと取付けた状態において、中間部４１１ｂと取付筒部３２との間に介在した状態となる。そして、栓蓋駆動機構４を取付筒部３２へと取付けた状態においては、介在円筒部４２ａの外周面と中間部４１１ｂの内周面とによって前記内側パッキン４５が挟み込まれた状態とされ、その結果、中間部４１１ｂ及び介在円筒部４２ａ間を通ったギアボックス部４３の内部への水の浸入抑制が図られるようになっている。
【００５６】
外側パッキン４２ｂは、所定の弾性変形可能な材料（例えば、ゴムや樹脂等）により形成された環状部品であり、介在円筒部４２ａの外周に形成された前記溝に配置されている。外側パッキン４２ｂは、栓蓋駆動機構４を取付筒部３２へと取付けた状態において、介在円筒部４２ａの外周面と取付筒部３２の内周面とで挟み込まれた状態となる。これにより、取付筒部３２及び介在円筒部４２ａ間を通ったギアボックス部４３の内部に対する水の浸入抑制が図られている。
【００５７】
尚、介在円筒部４２ａは、栓蓋駆動機構４を取付筒部３２へと取付けた状態において、取付筒部３２に対し積極的に相対回動することはなく、基本的には外側パッキン４２ｂ（にて生じる摩擦力）によって固定された状態となる。本実施形態では、回動体４１が回動する際に介在円筒部４２ａの内周において中間部４１１ｂが回動するため、中間部４１１ｂを大径とすることで回動体４１が回動する際に中間部４１１ｂ及び取付筒部３２間で摩擦抵抗が生じるように構成した場合と比較して、回動時に生じる摩擦抵抗をより小さなものとすることができる。すなわち、介在円筒部４２ａは、回動体４１の回動時における摩擦抵抗を軽減するという機能を有している。また、外側パッキン４２ｂは、水密性の確保という点に加え、取付筒部３２に対する介在円筒部４２ａの相対回動を規制するという点でも機能する。
【００５８】
ギアボックス部４３は、回動体４１の一部やラック部４４を収容するものである。本実施形態において、ギアボックス部４３は、取付筒部３２へと取付けられるものであり、取付筒部３２に対する栓蓋駆動機構４の取付部としても機能する。また、ギアボックス部４３は、単一の部品からなるものである。すなわち、ギアボックス部４３は、複数の部品を組合わせることで構成されるものではなく、１の部品によって構成されている。ギアボックス部４３は、歯車収容部４３１、係止部４３２及びラック収容部４３３を備えている。
【００５９】
歯車収容部４３１は、外観上、端部が閉塞した円筒状をなしており（図２等参照）、その内部にて歯車部４１１ｃを収容する。また、歯車収容部４３１における前記端部（閉塞部）には、歯車収容部４３１に収容された回動体４１の端部内周面を支持するための突部４３１ａが設けられている。
【００６０】
係止部４３２は、ギアボックス部４３における鍔状部位の端面に突出形成されている。尚、このギアボックス部４３における鍔状部位とは、ギアボックス部４３における回動体４１や介在円筒部４２ａが通過する開口側の端部において外側に突出形成された部位である。係止部４３２は、取付筒部３２に対する栓蓋駆動機構４の取付に用いられる部位であり、前記鍔状部位の周方向に沿って間隔をあけて複数（本実施形態では、３つ）設けられている。また、各係止部４３２の先端部には、外側（回動体４１の回動軸とは反対側）に向けて突出する爪部４３２ａが設けられている。
【００６１】
本実施形態において、取付筒部３２に対する栓蓋駆動機構４の取付は、次のようにして行われる。すなわち、ギアボックス部４３から突出した状態にある流路側円板部４１１ａや介在円筒部４２ａを取付筒部３２へと挿通しつつ、各被係止用孔部３２ｂに対し係止部４３２を挿通した上で、取付筒部３２に対し栓蓋駆動機構４（ギアボックス部４３）を相対回動させ、爪部４３２ａを取付筒部３２における被係止用孔部３２ｂを形成する部位へと係止することにより、取付筒部３２に対し栓蓋駆動機構４が取付けられる。
【００６２】
ラック収容部４３３は、歯車収容部４３１に対し立体交差した状態の円筒状をなしており（図２等参照）、ラック部４４を収容するためのものである。ラック収容部４３３の内部空間は、歯車収容部４３１の内部空間と連通した状態となっており、この連通箇所に対応する位置にて歯車部４１１ｃ及びラック部４４が噛合されている。
【００６３】
また、ラック収容部４３３における歯車収容部４３１とは反対側に位置する端部開口を閉塞するようにして蓋部４６が設けられている（図２，５等参照）。そして、この蓋部４６に対し長尺筒状をなすアウターチューブ１２の一端部が接続固定されている。
【００６４】
尚、アウターチューブ１２の他端部は、所定の操作部（例えば操作ボタンや操作レバーなど）を有する操作装置（図示せず）に接続固定されている。そして、前記アウターチューブ１２の内周には、例えば撚り線などからなるインナーワイヤ１３（図３参照）が往復移動可能な状態で挿通されており、前記操作部の変位に伴いインナーワイヤ１３が往復移動するようになっている。尚、操作部は、手動により変位するものであってもよいし、電動により変位するものであってもよい。
【００６５】
ラック部４４は、ラック収容部４３３に対し自身の長手方向に沿って往復移動可能な状態で挿通されており、本実施形態では、水平方向に沿って往復移動可能とされている。また、ラック部４４は、図７に示すように、その移動方向に沿って並ぶ複数の平行な歯４４ａを有している。歯４４ａは歯車部４１１ｃに対し直接的に噛合されており（図５参照）、ラック部４４及び回動部４１１が連動するようになっている。
【００６６】
また、ラック部４４には、前記インナーワイヤ１３の端部を接続するための接続用凹部４４ｂが設けられている。当該接続用凹部４４ｂに対しインナーワイヤ１３の先端部に設けられた端末金具（不図示）が配置されることで、インナーワイヤ１３及びラック部４４が直列的に接続されている。これにより、インナーワイヤ１３の往動又は復動に伴いラック部４４が往動又は復動し、ひいては回動部４１１が回動するようになっている。
【００６７】
また、ラック部４４における前記歯４４ａと隣接する部位には、ラック部４４の往復移動方向に沿って延びる突条をなす抜止部４４ｃが設けられている。抜止部４４ｃは、回動部４１１の前記溝部４１１ｄに配置されており（図６参照）、その結果、回動部４１１の回動軸方向に沿って、抜止部４４ｃに対し回動部４１１（特に歯車部４１１ｃ）が係止された状態となっている。これにより、取付筒部３２から配管本体部３１側への回動部４１１の抜けが防止されている。
【００６８】
さらに、ラック部４４は、ラック収容部４３３における前記開口（最終的に蓋部４６で閉塞される開口）からラック収容部４３３へと挿通可能となっている。本実施形態において、栓蓋駆動機構４を組立てる際には、歯車収容部４３１に回動部４１１における歯車部４１１ｃを収容した状態で、ラック収容部４３３の前記開口からラック収容部４３３へとラック部４４を挿通することにより、抜止部４４ｃに対し回動部４１１を係止した状態とすることが可能となっている。
【００６９】
以上詳述したように、本実施形態によれば、ラック部４４に設けられた抜止部４４ｃによって、取付筒部３２から配管本体部３１（流路構成部）側への回動部４１１の抜けを防止することができる。従って、抜け止めのために外嵌部材（例えばＣリング）などの別部材を特段設ける必要がなくなる。そのため、部品点数の削減や装置の簡素化を図ることができ、その結果、装置の組立やメンテナンス等に関する作業性の向上や製造コストの低減を図ることができる。
【００７０】
また、本実施形態では、ラック部４４に設けられた突条により抜止部４４ｃが構成されているため、抜止部４４ｃを比較的簡易な構造により実現することができ、作業性の向上や製造コストの低減をより効果的に図ることができる。
【００７１】
さらに、本実施形態では、ラック収容部４３３及び歯車収容部４３１を有してなるギアボックス部４３が、単一の部品から構成されている。つまり、ギアボックス部４３は、複数の部品を組合わせてなるものではなく、１の部品によって構成されている。従って、部品点数をより削減することができ、作業性の向上や製造コストの低減を一層効果的に図ることができる。
【００７２】
加えて、栓蓋駆動機構４を組立てる場合には、歯車収容部４３１に歯車部４１１ｃを収容した状態で、ラック収容部４３３の開口から当該ラック収容部４３３へとラック部４４を挿通することにより、抜止部４４ｃに対し回動部４１１を係止した（引っ掛けた）状態とすることができる。従って、回動部４１１の抜け止めのための部品を取付けたり、配置したりするといった作業を特段行うことなく、単にラック収容部４３３へとラック部４４を挿通することで、抜止部４４ｃにより回動部４１１の抜けを防止可能な状態とすることができる。これにより、作業性の向上や製造コストの低減をより一層効果的に図ることができる。
【００７３】
尚、上記実施形態の記載内容に限定されず、例えば次のように実施してもよい。勿論、以下において例示しない他の応用例、変更例も当然可能である。
【００７４】
（ａ）上記実施形態における配管３は、配管本体部３１とこれとは別体の取付筒部３２とを備えた構成とされているが、配管３を、配管本体部３１及び取付筒部３２を一体的に備えた１つの部品により構成してもよい。また、上記実施形態における配管本体部３１は、１つの部品によって構成されているが、直列的に連結された２つ以上の部品によって構成されていてもよい。
【００７５】
（ｂ）上記実施形態において、抜止部４４ｃは、ラック部４４に設けられた突条により構成されているが、抜止部は、回動部４１１に係止されることで、回動部４１１の抜けを防止できるものであればよい。従って、図９及び図１０に示すように、例えば、歯車部４１１ｅを回転方向に所定量（例えば半ピッチ分）だけずれた二段歯車により構成し、当該歯車部４１１ｅに噛合されるように構成されたラック部４４の歯４４ｄによって抜止部４４ｅを構成してもよい。尚、この場合におけるラック部４４は、往復移動方向に沿って並んだ歯４４ｄの列を２つ備え、これら２つの歯４４ｄの列が往復移動方向に沿って所定量だけずれた状態で並列配置された構成となる。
【００７６】
また、図１１及び図１２に示すように、例えば、歯車部４１１ｆをダブルヘリカルギアにより構成し、当該歯車部４１１ｆに噛合されるように構成された、ラック部４４の歯４４ｆによって抜止部４４ｇを構成してもよい。この場合におけるラック部４４は、往復移動方向に対する傾斜方向がそれぞれ異なるものとされた歯４４ｆの列を２つ備え、これら２つの歯４４ｆの列が並列配置された構成となる。
【００７７】
上記のように抜止部４４ｅ，４４ｇを歯車部４１１ｅ，４１１ｆに噛合されるラック部の歯４４ｄ，４４ｆによって構成することで、抜け止めのための特別な部分をラック部４４に設けずに済み、製造コストの低減などを一層効果的に図ることができる。
【００７８】
尚、例えば、歯車部の外周に、当該歯車部の回転方向に沿って延びる突条部を設け、ラック部のうち当該突条部が係止される部位によって抜止部を構成してもよい。具体的には、例えば、歯車部における支持突起４１２から最も離間した端部外周に前記突条部を設ける一方、ラック部のうち前記突条部に対応する部位に歯を設けないこととし、ラック部の歯に対し前記突条部が係止される構成とすることで、ラック部の歯によって抜止部が構成されるようにしてもよい。
【００７９】
（ｃ）上記実施形態において、ギアボックス部４３は、取付筒部３２へと取付けられるものであり、取付筒部３２とは別体とされているが、ギアボックス部４３を取付筒部３２と一体に形成してもよい。つまり、ギアボックス部４３及び取付筒部３２を単一の部品によって構成してもよい。尚、取付筒部３２及び配管本体部３１が１の部品により構成される場合には、配管本体部３１、取付筒部３２及びギアボックス部４３を単一の部品によって構成してもよい。
【００８０】
（ｄ）上記実施形態において、ラック部４４は、水平方向に沿って往復移動可能な状態で配設されているが、ラック部４４を水平方向に対し交差する方向（例えば鉛直方向や斜め鉛直方向）に沿って往復移動可能な状態で配設してもよい。
【００８１】
（ｅ）上記実施形態において、支持突起４１２は、回動部４１１の先端面であって当該回動部４１１の回動軸からずれた位置に突出形成されているが、支持突起を例えばＬ字状に屈曲する形状等とすることで、当該支持突起を回動部の先端面における回動中心（回動軸と重なる位置）から突出させつつ、回動部の回動に伴い、少なくとも当該支持突起のうち栓蓋５２を直接又は間接的に支持する部分が上下動するように構成してもよい。また、回動部の外周面から支持突起が突出するように構成し、回動部の回動に伴い支持突起が上下動するように構成してもよい。
【００８２】
（ｆ）上記実施形態では、槽体として洗面ボウル１００を例示しているが、本発明の技術思想を適用可能な槽体は洗面ボウルに限定されるものではない。従って、例えば、浴槽やキッチンの流し台などの洗面ボウル以外の槽体に対し本発明の技術思想を適用してもよい。
【００８３】
また、上記実施形態において、槽体としての洗面ボウル１００は排水空間１０３を備えているが、槽体は排水空間１０３を備えないものであってもよい。さらに、上記実施形態において、排水口部材２は排水空間１０３に対応するための通水孔２３を備えているが、槽体が排水空間１０３を備えないものである場合、排水口部材に通水孔を設ける必要はない。
【００８４】
（ｇ）上記実施形態では、栓蓋５２（パッキン部５２ｂ）が排水口部材２に接触することで、排水口１０２が閉状態となるように構成されているが、栓蓋５２（パッキン部５２ｂ）が底壁部１０１と接触することで、排水口１０２が閉状態となるように構成してもよい。
【符号の説明】
【００８５】
１…排水栓装置、３…配管、３１…配管本体部（流路構成部）、３２…取付筒部、４３…ギアボックス部、４４…ラック部、４４ｃ，４４ｅ，４４ｇ…抜止部、５２…栓蓋、１００…洗面ボウル（槽体）、１０２…排水口、４１１…回動部、４１１ｃ…歯車部、４１１ｄ…溝部、４１２…支持突起、４３１…歯車収容部、４３３…ラック収容部。
【図１】
2020193515.tif 000003
【図２】
2020193515.tif 000004
【図３】
2020193515.tif 000005
【図４】
2020193515.tif 000006
【図５】
2020193515.tif 000007
【図６】
2020193515.tif 000008
【図７】
2020193515.tif 000009
【図８】
2020193515.tif 000010
【図９】
2020193515.tif 000011
【図１０】
2020193515.tif 000012
【図１１】
2020193515.tif 000013
【図１２】
2020193515.tif 000014